【手続補正書】
【提出日】平成18年12月11日(2006.12.11)
【手続補正１】
【補正対象書類名】明細書
【補正対象項目名】００２７
【補正方法】変更
【補正の内容】
【００２７】
請求項６に記載の発明によれば、前記ポンプケースの内周面にリブを設け、このリブによりポンプ内周面と金属製のスリーブとの間で空気層を形成したので、インペラがスリーブ内で摺接しながら駆動して生じる摩擦熱がポンプケースに熱伝導するのを、前記形成された空気層で断熱して、その熱伝導を緩和する。
したがって、樹脂製のポンプケースが前記の摩擦熱で加熱されることを確実に防止できるため、樹脂製のポンプケースの溶融を確実に防止できる。
【手続補正２】
【補正対象書類名】明細書
【補正対象項目名】００７１
【補正方法】変更
【補正の内容】
【００７１】
また、符号４０［ｄ］で示す環状シール部材は、ポンプケース１５の下部開口部１５ｄ周縁とアンダパネル１９との間の位置に介装されるものである。ポンプケース１５の下部開口部１５ｄに対応して概略円形の一部が三角形状に突出する異形形状を呈している。この点は、前記した一実施形態における下方の環状シール部材２６ｂと同様の構造を呈している。確実に防止できため、樹脂製のポンプケースの溶融を確実に防止できる。
【手続補正３】
【補正対象書類名】明細書
【補正対象項目名】００７３
【補正方法】変更
【補正の内容】
【００７３】
〔第１例〕
第１例のシール体では、図８（ａ），（ｂ）に示すように、符号４０［ａ］，４０［ｂ］，４０［ｄ］で示す環状シール部材を組み合わせたものである。すなわち、大径筒体１５ａにおけるドライブシャフト１０の挿通孔１５ｃに近い環状シール部材４０［ａ］と、これよりも離隔した大径筒体１５ａにおける周縁に近い位置の環状シール部材４０［ｂ］と、ポンプケース１５の下部開口部１５ｄ周縁とアンダパネル１９との間の位置に介装される環状シール部材４０［ｄ］とを設けたものである。
図８では、環状シール部材によるシール領域（水密部分）を斜線４６で示している。また、図８には、破線で環状シール部材４０［ｃ］の配設位置を示している。
【手続補正４】
【補正対象書類名】明細書
【補正対象項目名】００８８
【補正方法】変更
【補正の内容】
【００８８】
この第６例のシール体は、第５例のシール体よりも吐出口１７ｆからポンプケース１５とスリーブ２５との間に浸入してくる海水などの水をより一層防止することができる。
なお、前記連結シール部材４２［ｎ］は前記環状シール部材４０［ｂ］と同じく、ポンプケース１５とスリーブ２５との間であって全周を取り巻く構造（環状シール部材４０［ｂ］と同様構造）としても良い。これにより、より水密性が向上する。
また、この第６例のシール体は、前記図６に示した一実施形態に係るシール体に類似しているが、一実施形態では環状シール部材２６にエア抜き孔１５ｆを設けているためその部分を避けて突出形状を設けている点が異なる。
【手続補正５】
【補正対象書類名】明細書
【補正対象項目名】００９０
【補正方法】変更
【補正の内容】
【００９０】
この第７例のシール体は、第５例のシール体よりも吐出口１７ｆからポンプケース１５とスリーブ２５との間に浸入してくる海水などの水をより一層防止することができる。なお、前記連結シール部材４２［ｏ］は、ポンプケース１５とスリーブ２５との間であって全周を取り巻く構造（環状シール部材４０［ｃ］と同様構造）としても良い。これにより、より水密性が向上する。
【手続補正６】
【補正対象書類名】明細書
【補正対象項目名】００９５
【補正方法】変更
【補正の内容】
【００９５】
【図１】本発明の一実施形態に係る船外機の側面視外観説明図である。
【図２】図１に示す船外機のエンジン下方の駆動構造および冷却水ポンプ装置などの構造の縦断面説明図である。
【図３】一実施形態に係る船外機の冷却水ポンプ装置とその下方部の詳細縦断面視説明図である。
【図４】冷却水ポンプ装置の構成を説明する縦断面図である。
【図５】（ａ）は前記冷却水ポンプ装置のポンプケースの構成を説明する下面図、（ｂ）は（ａ）のＢ−Ｂ線に沿う縦断面図である。
【図６】前記冷却水ポンプ装置に装着される一体成形のシール部材の構成説明図である。
【図７】本発明の他の実施形態に係る冷却水ポンプ装置の構成を説明する縦断面図である。
【図８】図７に示す他の実施形態に係る冷却水ポンプ装置に設ける、環状シール部材と連結シール部材を組み合わせて構成したシール体の第１例の説明図であって、（ａ）は平面視説明図、（ｂ）は斜視説明図を示している。
【図９】環状シール部材と連結シール部材を組み合わせて構成したシール体の第２例の説明図であって、（ａ）は平面視説明図、（ｂ）は斜視説明図を示している。
【図１０】環状シール部材と連結シール部材を組み合わせて構成したシール体の第３例の説明図であって、（ａ）は平面視説明図、（ｂ）は斜視説明図を示している。
【図１１】環状シール部材と連結シール部材を組み合わせて構成したシール体の第４例の説明図であって、（ａ）は平面視説明図、（ｂ）は斜視説明図を示している。
【図１２】環状シール部材と連結シール部材を組み合わせて構成したシール体の第５例の説明図であって、（ａ）は平面視説明図、（ｂ）は斜視説明図を示している。
【図１３】環状シール部材と連結シール部材を組み合わせて構成したシール体の第６例の説明図であって、（ａ）は平面視説明図、（ｂ）は斜視説明図を示している。
【図１４】環状シール部材と連結シール部材を組み合わせて構成したシール体の第７例の説明図であって、（ａ）は平面視説明図、（ｂ）は斜視説明図を示している。
【図１５】従来のステンレス製のポンプケースの冷却水ポンプ装置の構成説明図である。
【図１６】従来の樹脂製ポンプケースにステンレス製スリーブの装着された冷却水ポンプ装置の構成説明図である。
【手続補正７】
【補正対象書類名】明細書
【補正対象項目名】００９６
【補正方法】変更
【補正の内容】
【００９６】
１  船外機
２  船体
３  トランザム
４  クランプブラケット
５  スイベルブラケット
５ａ  アクチュエータ
６  エンジン
６ａ  エンジンのクランク軸
７  エンジンホルダ
８  ドライブシャフトハウジング
８ａ  アッパーケース
８ｂ  ロアケース
８ｃ  壁状部
８ｄ  ロアカバー
８ｅ  冷却水通路
８ｆ  吸水口
９  スクリュー
１０  ドライブシャフト
１０ａ  キー溝
１０ｂ  水密シール
１１  ドライブシャフトの中空部
１２  スクリュー軸
１３  ベベルギヤセット
１３ａ  ドライブギヤ
１３ｂ  ドリブンギヤ
１４  シフトレバー
１４ａ  シフト軸
１５  ポンプケース
１５ａ  大径筒体
１５ｂ  小径筒体
１５ｃ  ドライブシャフト挿通孔
１５ｄ  下部開口部
１５ｅ  リブ
１５ｆ  エア抜き孔
１６  インペラ
１６ａ  キー
１７  冷却水ポンプ装置
１７Ａ  冷却水ポンプ装置
１７ａ  誘導壁部
１７ｂ  インレット
１７ｃ  ポンプ室
１７ｄ  アウトレット
１７ｅ  冷却水パイプ
１７ｆ  吐出口
１８  合わせ部
１９  アンダパネル
１９ａ  ガスケット
２０  インペラの翼部
２１  インペラのボス部
２２  インペラの管状心材
２２ａ  キー溝
２３  内フランジ部
２５  スリーブ
２５ａ  底部
２５ｂ  側壁部
２５ｃ  挿通孔
２５ｄ  切り欠き
２６  環状シール部材
２６ａ、２６ｂ  上方の環状シール部材、下方の環状シール部材
２７  連結シール部材
２８  連続体のシール体
２９（２９ａ〜２９ｄ）  溝部
３０  リブ
３１  空気層
４０［ａ］〜４０［ｄ］  環状シール部材
４２［ａ］〜４２［ｍ］  連結シール部材
４２［ｎ］，４２［ｏ］  連結シール部材
４４［ａ］〜４４［ｃ］  溝部
４６  シール領域